(57)【要約】【課題】上下方向の高さを抑えて設置スペースの制限を緩和することができ、しかも、液体に対して不具合なく確実かつ良好に添加処理または反応処理を行うことが可能な液体処理装置を提供する。【解決手段】水平方向へ延びる横長の中空状の容器１２と、容器１２の一端側に設けられた供給口１５と、容器１２の他端側に設けられた排出口１７と、を備え、容器１２内に液体処理材Ｔが充填された状態で、供給口１５から供給されて液体処理材Ｔが充填された容器１２内を流れて排出口１７から排出される水に対して添加処理または反応処理が行われる液体処理装置１１であって、容器１２内には、容器１２内の上部から下方に向かって所定幅延びる上部邪魔板２１が幅方向に沿って複数設けられ、上部邪魔板２１の下端の縁部２１ａと容器１２の内面とから形成された開口部が水の流路Ｒ１とされている。【選択図】図３
2015029967.tif 000002
【特許請求の範囲】
【請求項１】
水平方向へ延びる横長の中空状の容器と、該容器の一端側に設けられた供給口と、前記容器の他端側に設けられた排出口と、を備え、前記容器内に液体処理材が充填された状態で、前記供給口から供給されて前記液体処理材が充填された前記容器内を流れて前記排出口から排出される液体に対して添加処理または反応処理が行われる液体処理装置であって、
前記容器内には、前記容器内の上部から下方に向かって所定幅延びる邪魔板が幅方向に沿って複数設けられ、該邪魔板の下端の縁部と前記容器の内面とから形成された開口部が前記液体の流路とされていることを特徴とする液体処理装置。
【請求項２】
前記容器内には、前記容器内の下部から上方に向かって所定幅延びる邪魔板が幅方向に沿って複数設けられ、該邪魔板の上端の縁部と前記容器の内面とから形成された開口部が前記液体の流路とされ、前記容器内の上部から下方に向かって所定幅延びる邪魔板と前記容器内の下部から上方に向かって所定幅延びる邪魔板とが、前記容器の長手方向へ交互に配置されていることを特徴とする請求項１に記載の液体処理装置。
【請求項３】
前記容器内に前記液体として水が流され、前記容器内に前記水に対してミネラルを添加する液体処理材が充填されていることを特徴とする請求項１または請求項２に記載の液体処理装置。
【請求項４】
前記邪魔板は、前記容器の幅方向の断面積の４０％〜９５％を塞ぐ大きさとされていることを特徴とする請求項１〜請求項３のいずれか一項に記載の液体処理装置。
【請求項５】
前記邪魔板は、前記流路を形成する縁部側が、前記容器内を流れる液体の上流側へ向くように、傾斜角度４０°〜８５°で傾けられていることを特徴とする請求項１〜請求項４のいずれか一項に記載の液体処理装置。
【請求項６】
前記供給口が設けられた一端側が下方となり、前記排出口が設けられた他端側が上方となるように前記容器を上下に配置させた状態で、前記供給口が前記邪魔板の下方側に配置されることを特徴とする請求項１〜請求項５のいずれか一項に記載の液体処理装置。
【発明の詳細な説明】
【技術分野】
【０００１】
本発明は、液体処理材中に液体を通すことで、該液体に添加処理または反応処理を行う液体処理装置に関する。
【背景技術】
【０００２】
一般に、水等の液体にミネラル等の添加物を添加する液体処理装置としては、液体を縦方向に流す縦型のものが多く用いられている（例えば、特許文献１〜３参照）。
例えば、図７（ａ）に示すように、容器１０１内に液体処理材Ｔを充填し、容器１０１の上部に設けた供給管１０２の供給口１０２ａから液体を供給し、液体を上方から下方へ流し、その下降流を液体処理材Ｔ中へ通すことで添加処理を施す。そして、容器１０１の下部に設けた排出管１０３の排出口１０３ａから添加処理済みの液体を回収している。なお、容器１０１の下方から上方へ液体を流し、その上昇流を液体処理材Ｔ中へ通すことで添加処理を施して容器１０１の上方側で回収するものもある。
【０００３】
このような縦型の処理装置では、液体処理材Ｔに対する液体の接触のばらつきが起こりにくく、また、図７（ｂ）に示すように、添加処理に伴って液体処理材Ｔの容積が減少して容器１０１の上部に大きな隙間Ｄが形成されても、液体は液体処理材Ｔ中を確実に通過して接触するため、流路の短絡による添加・反応不足が防がれる。
【０００４】
しかし、この縦型の処理装置は、高さが高いことから、設置するためには上下方向に十分なスペースを確保する必要がある。このため、スペースの関係から設置が制限されることがある。
【０００５】
一方、砂ろ過のようにろ過材（充填物）が液体の接触により減少しない場合は、横型の処理装置を具備し、処理装置内のろ過材を通過させて被処理水をろ過するろ過装置が知られている（例えば、特許文献４参照）。特許文献４のろ過装置のような横型の処理装置は大型の装置に用いられ、図８に示すように、縦型のものと比べて容器１０１の高さは横幅よりも短くなるが、高さとしては縦型と同じになり、水の流れは上から下になるため、上下方向に十分なスペースを確保できない小型装置で設置することはできない。
【先行技術文献】
【特許文献】
【０００６】
【特許文献１】特開２００２−２８２８７３号公報
【特許文献２】特開２０００−４２５７２号公報
【特許文献３】特開平８−２５７５５９号公報
【特許文献４】国際公開第２００２／０２８５０３号
【発明の概要】
【発明が解決しようとする課題】
【０００７】
液体に添加処理を行う液体処理装置の小型化の観点から、横型の処理装置を用い、横型の容器１０１の一端側から液体を供給して他端側から回収するようにし、流路を長くして液体処理材Ｔとの接触時間を長くすることで、装置の高さを低くすることが考えられる。ところが、添加処理に伴って液体処理材Ｔの容積が減少して液体処理材Ｔの上に隙間が形成されると、液体が圧力損失の小さい液体処理材Ｔの上方側で多く流れて液体処理材Ｔの上方側を液体の一部が素通りしてしまい、液体処理材Ｔとの接触が不十分となり、添加不足が生じ、処理水の水質が不良になるおそれがある。また、流れが遅くなる容器１０１の下部では、液体が長期間滞留することで、例えば、菌が繁殖するなどの不具合が生じるおそれがある。また、容器１０１の下部で添加物が高濃度に添加された液体が不定期に排出管１０３へ流れ、回収される液体における添加率が不均一となり、処理水の水質が不良になるおそれもある。
【０００８】
本発明は、上述した事情に鑑みてなされたものであり、その目的は、上下方向の高さを抑えて設置スペースの制限を緩和することができ、しかも、液体に対して不具合なく確実かつ良好に添加処理または反応処理を行うことが可能な液体処理装置を提供することにある。
【課題を解決するための手段】
【０００９】
上記課題を解決するための本発明の液体処理装置は、水平方向へ延びる横長の中空状の容器と、該容器の一端側に設けられた供給口と、前記容器の他端側に設けられた排出口と、を備え、前記容器内に液体処理材が充填された状態で、前記供給口から供給されて前記液体処理材が充填された前記容器内を流れて前記排出口から排出される液体に対して添加処理または反応処理が行われる液体処理装置であって、前記容器内には、前記容器内の上部から下方に向かって所定幅延びる邪魔板が幅方向に沿って複数設けられ、該邪魔板の下端の縁部と前記容器の内面とから形成された開口部が前記液体の流路とされていることを特徴とする。
【００１０】
この構成の液体処理装置によれば、水平方向へ延びる横長の容器の一端から液体を供給し、容器内の液体処理材を通過させて容器の他端から排出させるので、上下方向の高さを極力抑えつつ、液体処理材に対する液体の接触時間を十分に確保して液体に添加物を十分に添加したり、液体に対して十分に反応させることができる。
また、液体に添加または反応処理が行われて液体処理材の容積が少なくなり、液体処理材の上方側に隙間が形成されても、容器に供給される液体が邪魔板を迂回して上下に蛇行して流れるので、液体処理材の上方側に形成された隙間での素通りを防ぐことができる。これにより、液体処理材の容積減少時においても、液体処理材に対する液体の接触時間を十分に確保することができる。
つまり、上下方向の高さを抑えて設置スペースの制限を緩和することができ、しかも、液体に対して不具合なく確実かつ良好に添加または反応処理を行うことができる。
【００１１】
本発明の液体処理装置において、前記容器内には、前記容器内の下部から上方に向かって所定幅延びる邪魔板が幅方向に沿って複数設けられ、該邪魔板の上端の縁部と前記容器の内面とから形成された開口部が前記液体の流路とされ、前記容器内の上部から下方に向かって所定幅延びる邪魔板と前記容器内の下部から上方に向かって所定幅延びる邪魔板とが、前記容器の長手方向へ交互に配置されていてもよい。
【００１２】
この構成の液体処理装置によれば、容器内の上方に設けられた邪魔板だけでなく、容器内の下方にも邪魔板も設け、上方に設けた邪魔板と下方に設けた邪魔板とを容器の長手方向へ交互に配置させたので、容器内における液体の流れをさらに大きくかつ確実に蛇行させることができる。これにより、液体処理材の容積に影響されることなく、液体処理材に対する液体の接触時間をさらに確実に確保することができる。
【００１３】
本発明の液体処理装置において、前記容器内に前記液体として水が流され、前記容器内に前記水に対してミネラルを添加する液体処理材が充填されていてもよい。
【００１４】
この構成の液体処理装置によれば、容器内へ供給した水をミネラル液体処理材に十分に接触させ、水に対して十分な添加量でミネラルを添加させることができる。
【００１５】
本発明の液体処理装置において、前記邪魔板は、前記容器の幅方向の断面積の４０％〜９５％を塞ぐ大きさとされていてもよい。
【００１６】
この構成の液体処理装置によれば、邪魔板を容器の幅方向の断面積の４０％〜９５％を塞ぐ大きさとすることで、液体の流れを良好に上下に蛇行させて、液体処理材の容積に影響されることなく、液体処理材に対する液体の接触時間を確実に確保することができる。
【００１７】
本発明の液体処理装置において、前記邪魔板は、前記流路を形成する縁部側が、前記容器内を流れる液体の上流側へ向くように、傾斜角度４０°〜８５°で傾けられていてもよい。
【００１８】
この構成の液体処理装置によれば、流路を形成する縁部側が上流側へ向くように、邪魔板を傾斜角度４０°〜８５°で傾けることで、縁部側が上流側へ向くように邪魔板が傾斜されているので、容器の下流側を上方へ向けて上下に配置させた状態で下流側から容器内へ液体処理材を補充する際に、邪魔板によって液体処理材の移動が邪魔されることがなく、よって、液体処理材の補充を良好に行うことができる。
【００１９】
本発明の液体処理装置において、前記供給口が設けられた一端側が下方となり、前記排出口が設けられた他端側が上方となるように前記容器を上下に配置させた状態で、前記供給口が前記邪魔板の下方側に配置されてもよい。
【００２０】
この構成の液体処理装置によれば、供給口が設けられた一端側が下方となり、排出口が設けられた他端側が上方となるように容器を上下に配置させた状態で、供給口が邪魔板の下方側に配置されるので、この状態で下流側から容器内へ液体処理材を補充しても、液体処理材が供給口から漏出するような不具合を防止することができ、液体処理材の補充を良好に行うことができる。
【発明の効果】
【００２１】
本発明の液体処理装置によれば、上下方向の高さを抑えて設置スペースの制限を緩和することができ、しかも、液体に対して不具合なく確実かつ良好に添加処理または反応処理を行うことができる。特に、ミネラルがほとんど含まれない水にミネラルを添加するための寒水石を充填する充填装置などに適している。
【図面の簡単な説明】
【００２２】
【図１】本発明の一実施形態に係る液体処理装置の断面図である。
【図２】（ａ）は、図１のＩＩａ−ＩＩａ線における液体処理装置の矢視断面図であり、（ｂ）は、図１のＩＩｂ−ＩＩｂ線における液体処理装置の矢視断面図である。
【図３】図１の液体処理装置に液体処理材を充填した状態を示す概略断面図である。
【図４】図１の液体処理装置における液体の流れを説明するための液体処理装置の概略断面図である。
【図５】図１の液体処理材が減った状態での、液体処理装置における液体の流れを説明するための液体処理装置の概略断面図である。
【図６】本発明の他の実施形態に係る液体処理装置における液体の流れを説明するための液体処理装置の概略断面図である。
【図７】縦型の液体処理装置を示す概略断面図であり、（ａ）は、液体処理材が十分に充填されている状態を示す図であり、（ｂ）は、液体処理材の容積が減少した状態を示す図である。
【図８】横型の液体処理装置を示す概略断面図である。
【発明を実施するための形態】
【００２３】
以下、本発明の実施形態を、図面を参照して説明する。
図１は、本発明の一実施形態に係る液体処理装置の断面図、図２（ａ）は、図１のＩＩａ−ＩＩａ線における液体処理装置の矢視断面図、図２（ｂ）は、図１のＩＩｂ−ＩＩｂ線における液体処理装置の矢視断面図、図３は、図１の液体処理装置に液体処理材を充填した状態を示す概略断面図である。
【００２４】
図１〜図３に示したように、本発明の一実施形態に係る液体処理装置１１は、水平方向へ延びる横長の容器１２を有している。この容器１２は、円筒状に形成された中空状の容器本体１３と、この容器本体１３の横長方向の一端側に設けられた端面板１４と、容器本体１３の他端側に設けられた端面板１５とを有している。容器本体１３は、その両端が、端面板１４，１５によって液密的に閉塞されており、これにより、容器１２には、容器本体１３と端面板１４，１５とによって液密的に密閉された処理空間Ｓが形成されている。容器１２の処理空間Ｓには、粒状の液体処理材Ｔが、処理空間Ｓの略上端まで充填される（図３参照）。
【００２５】
この液体処理材Ｔは、液体との接触によって液体に添加処理を行うもの、または液体との接触によって液体と反応処理するものである。この液体処理材Ｔとして、例えば、寒水石、硫酸カルシウム等のミネラル添加用の液体処理材、活性炭等の臭気や色度、有機物吸着用の液体処理材、イオン交換樹脂等のイオン除去用の液体処理材等を用いることができる。つまり、本例における液体処理装置１１では、液体として水が流され、この水に対して液体処理材Ｔによってミネラルを添加する添加処理を行う。
【００２６】
容器１２には、その横長方向の一端側に設けられた端面板１４に、供給口１６を有する液体供給管１８設けられ、他端側に設けられた端面板１５に、排出口１７を有する液体回収管１９が設けられている。そして、液体供給管１８から送り込まれる水が、供給口１６から容器１２の処理空間Ｓ内へ供給される。処理空間Ｓに供給される水は、処理空間Ｓに充填された液体処理材Ｔを通り、排出口１７から排出されて液体回収管１９へ送り出される。このように、容器１２は、供給口１６が設けられた一端側が水の上流側とされ、排出口１７が設けられた他端側が水の下流側とされている。なお、液体供給管１８は容器１２の上方に設け、液体回収管１９は液体供給管１８よりも下方の位置に設けることが好ましい。
【００２７】
容器１２内には、容器１２の処理空間Ｓの上部を塞ぐ複数枚の上部邪魔板（邪魔板）２１が幅方向に沿って複数設けられている。これらの上部邪魔板２１は、容器１２の上部から下方に向かって所定幅延びる薄板状の板材であり、容器１２の長手方向に所定の間隔をあけて配置されている。本実施形態において、上部邪魔板２１の最も上流側、すなわち供給口１６側に設けられる邪魔板は、供給口１６の近傍に設置されている。これらの上部邪魔板２１は、図２（ａ）に示したように、その下端の縁部２１ａと容器１２の容器本体１３の内面とから形成された開口部が、水の流路Ｒ１とされている。
【００２８】
同様に、容器１２内には、容器１２の処理空間Ｓの下部を塞ぐ複数枚の下部邪魔板（邪魔板）２２が幅方向に沿って複数設けられている。これらの下部邪魔板２２は、容器１２の下部から上方に向かって所定幅延びる薄板状の板材であり、容器１２の長手方向に所定の間隔をあけて配置されている。これらの下部邪魔板２２は、図２（ｂ）に示したように、その上端の縁部２２ａと容器１２の容器本体１３の内面とから形成された開口部が、水の流路Ｒ２とされている。
【００２９】
容器１２内の処理空間Ｓの上部を塞ぐ上部邪魔板２１と容器１２内の処理空間Ｓの下部を塞ぐ下部邪魔板２２とは、容器１２の長手方向へ交互に配置されている。それぞれの上部邪魔板２１及び下部邪魔板２２は、容器１２内の処理空間Ｓの幅方向の断面積の４０％〜９５％を塞ぐ大きさとするのが好ましい。上記範囲であると、処理する水の流れを良好に上下に蛇行させて、液体処理材Ｔに十分に接触させることができる。
【００３０】
上部邪魔板２１と下部邪魔板２２との設置間隔は、円筒形状に形成された容器本体１３の直径と略同一間隔から容器本体１３の直径の２倍程度の間隔とするのが望ましい。例えば、容器本体１３の直径が３０ｃｍである場合、２０ｃｍ〜６０ｃｍの間隔で上部邪魔板２１と下部邪魔板２２とを交互に設けるのが望ましい。
【００３１】
また、上部邪魔板２１及び下部邪魔板２２は、流路Ｒ１，Ｒ２を形成する縁部２１ａ，２２ａが容器１２の処理空間Ｓ内を流れる水の上流側へ向くように傾けられている。これらの上部邪魔板２１及び下部邪魔板２２の傾斜角度θは、４０°〜８５°とするのが好ましい。本例では、上部邪魔板２１及び下部邪魔板２２の傾斜角度θが６０°とされている。上記範囲であると、処理する水の流れを良好に上下に蛇行させて、液体処理材Ｔに十分に接触させることができる。
【００３２】
液体処理装置１１は、供給口１６が設けられた一端側を支点として回動可能とされている。これにより、液体処理装置１１を回動させ、供給口１６が設けられた一端側が下方となり、排出口１７が設けられた他端側が上方となるように、上下に配置させることができる。本実施形態において、液体処理装置１１を上下に配置させた状態で、供給口１６は、この供給口１６の直近に配置された邪魔板の下方側に位置するように構成されている。
【００３３】
次に、上記構造の液体処理装置１１で液体である水に対して添加処理を行う場合について説明する。
【００３４】
図４及び図５は、それぞれ図１の液体処理装置における液体の流れを説明するための液体処理装置の概略断面図である。
【００３５】
図４に示したように、液体供給管１８から送り込まれた水は、供給口１６から容器１２の液体処理材Ｔが充填された処理空間Ｓ内へ供給される。この水は、上流側の上部邪魔板２１によって流れが遮られ、下方側へ導かれて流路Ｒ１を通過する。流路Ｒ１を通過した水は、上流側の下部邪魔板２２によって流れが遮られ、上方側へ導かれて流路Ｒ２を通過する。流路Ｒ２を通過した水は、次の上部邪魔板２１によって流れが遮られ、下方側へ導かれて流路Ｒ１を通過する。流路Ｒ１を通過した水は、次の下部邪魔板２２によって流れが遮られ、上方側へ導かれて流路Ｒ２を通過する。Ｒ２を通過した水は、その後、排出口１７から液体回収管１９へ送り出されて回収される。
【００３６】
そして、このように容器１２の処理空間Ｓ内を流れる水は、液体処理材Ｔを通過することでミネラルが添加される。
【００３７】
ところで、寒水石等の液体処理材Ｔは、水が通過することで溶解して粒径が小さくなり、図５に示したように、全体の容積が少なくなる。これにより、容器１２の処理空間Ｓには、液体処理材Ｔの上方側に隙間が形成される。
【００３８】
このような状態であっても、本実施形態に係る液体処理装置１１では、供給される水が上部邪魔板２１及び下部邪魔板２２を迂回して上下に蛇行して流れるので、水が液体処理材Ｔの上方側に形成された隙間を素通りするようなことなく、液体処理材Ｔへ確実に通過する。これにより、処理空間Ｓ内を流れる水は、液体処理材Ｔに対して十分に接触するため、ミネラルが十分に添加され、液体処理材Ｔの上方側の隙間を水の一部が素通りする場合と比較し、約５倍のミネラルを溶け込ませることができる。
【００３９】
次に、容器１２の処理空間Ｓ内へ液体処理材Ｔを補充する場合について説明する。
【００４０】
まず、供給口１６が設けられた容器１２の上流側である一端側が下方となり、排出口１７が設けられた容器１２の下流側である他端側が上方となるように容器１２を上下に配置させる。このようにすると、粒径が小さくなった液体処理材Ｔは、供給口１６が設けられた容器１２の上流側である一端側に集まる。このとき、上部邪魔板２１及び下部邪魔板２２は、流路Ｒ１，Ｒ２を形成する縁部２１ａ，２２ａが上流側へ向くように傾けられているので、残留していた液体処理材Ｔは、上部邪魔板２１及び下部邪魔板２２によって邪魔されることなく、容器１２の上流側へ向かって移動する。また、供給口１６の近傍には、上部邪魔板２１が設置されているので、液体処理材Ｔが容器１２の上流側から供給口１６付近まで移動しても、供給口１６の直近に設けられた上部邪魔板２１により上部がおおわれるため、液体処理材Ｔが供給口１６から漏出するような不具合が防止される。
【００４１】
この状態で、容器１２の下流側である他端側の端面板１５に設けられた補充口（図示略）を開き、この補充口から新たな液体処理材Ｔを投入する。このように新たな液体処理材Ｔを投入すると、容器１２の処理空間Ｓには、その下流側に近い部分に、新しい大きな粒径の液体処理材Ｔが充填されることになる。このときも、新たに投入された液体処理材Ｔは、上部邪魔板２１及び下部邪魔板２２によって邪魔されることなく、容器１２の上流側へ向かって移動する。液体処理材Ｔを補充したら、容器１２を再び水平に配置させる。
【００４２】
そして、このようにして液体処理材Ｔを補充することで、容器１２の処理空間Ｓ内に、添加処理に十分な量の液体処理材Ｔが充填された状態となる。また、このように液体処理材Ｔを充填すると、粒径の小さい液体処理材Ｔが水の供給側である上流側に配置され、粒径の大きい新たな液体処理材Ｔが水の排出側である下流側に配置された状態となる。
【００４３】
ところで、排出口１７には、液体処理材Ｔの流出防ぐために、複数の小さな孔や複数のスリットを有するプレートを設けている。したがって、液体処理材Ｔの粒径が小さくなると、液体処理材Ｔがプレートの孔やスリットに詰まることがある。詰まった液体処理材Ｔは、その粒径がさらに小さくなることで、プレートの孔やスリットを通過して流出するが、詰まっている状態では、圧力損失が大きくなって水の流れが妨げられることがある。
【００４４】
しかし、上記のように、容器１２の下流側を上方へ向けて上下に配置させた状態で下流側から容器１２の処理空間Ｓ内へ液体処理材Ｔを補充することで、粒径の小さい液体処理材Ｔが水の供給側である上流側に配置され、粒径の大きい新たな液体処理材Ｔが水の排出側である下流側に配置された状態となる。
【００４５】
したがって、液体処理材Ｔの補充後の添加処理時においても、容器１２の処理空間Ｓ内には、その下流側に新しく大きな粒径の液体処理材Ｔが配されることにより、粒径が小さくなった液体処理材Ｔの排出口１７からの流出を防止することができる。また、小さくなった液体処理材Ｔの排出口１７での詰まりを抑制して圧力損失の増加を防止することができ、よって、水の流れを円滑に維持して良好な添加処理を行うことができる。
【００４６】
以上、説明したように、本実施形態に係る液体処理装置によれば、水平方向へ延びる横長の容器１２の一端から水を供給し、容器１２内の液体処理材Ｔを通過させて容器１２の他端から排出させるので、上下方向の高さを極力抑えつつ、液体処理材Ｔに対する水の接触時間を十分に確保して水にミネラルを十分に添加することができる。
【００４７】
また、水に添加処理が行われて液体処理材Ｔの容積が少なくなり、液体処理材Ｔの上方側に隙間が形成されても、容器１２に供給される水が上部邪魔板２１及び下部邪魔板２２を迂回して上下に蛇行して流れるので、液体処理材Ｔの上方側に形成された隙間での水の素通りを防ぐことができる。これにより、液体処理材Ｔの容積減少時においても、液体処理材Ｔに対する水の接触時間を十分に確保することができる。
【００４８】
つまり、本実施形態によれば、上下方向の高さを抑えて設置スペースの制限を緩和することができ、しかも、水に対して不具合なく確実かつ良好にミネラルを添加する添加処理を行うことができる。
【００４９】
また、上部邪魔板２１及び下部邪魔板２２を容器１２の幅方向の断面積の４０％〜９５％を塞ぐ大きさとすることで、水の流れを良好に上下に蛇行させて、液体処理材Ｔの容積に影響されることなく、液体処理材Ｔに対する水の接触時間を確実に確保することができる。
【００５０】
例えば、上部邪魔板２１及び下部邪魔板２２の大きさが容器１２の幅方向の断面積の４０％より小さいと、液体処理材Ｔの上方に、水が素通りできる空間が形成され易くなり、また、上部邪魔板２１及び下部邪魔板２２の大きさが容器１２の幅方向の断面積の９５％より大きいと、容器１２の処理空間Ｓ内を水が流れる際の圧力損失が大きくなってしまう。なお、上部邪魔板２１及び下部邪魔板２２を、容器１２の幅方向の断面積の６０％〜８０％を塞ぐ大きさとすれば、上部邪魔板２１の一部と下部邪魔板２２の一部とが、高さ方向へラップされるので、より円滑かつ良好に水の流れを上下に蛇行させることができる。
【００５１】
また、流路Ｒ１，Ｒ２を形成する縁部２１ａ，２２ａ側が上流側へ向くように、上部邪魔板２１及び下部邪魔板２２を４０°〜８５°の傾斜角度θで傾けることで、水の流れをさらに良好に蛇行させて、液体処理材Ｔの容積に影響されることなく、液体処理材Ｔに対する水の接触時間を確実に確保することができる。しかも、縁部２１ａ，２２ａ側が上流側へ向くように上部邪魔板２１及び下部邪魔板２２を傾斜させることで、容器１２の下流側を上方へ向けて上下に配置させた状態で下流側から容器１２の処理空間Ｓ内へ液体処理材Ｔを補充する際に、上部邪魔板２１及び下部邪魔板２２によって液体処理材Ｔの移動が邪魔されることがなく、よって、液体処理材Ｔの補充を良好に行うことができる。なお、上部邪魔板２１及び下部邪魔板２２の傾斜角度θは、５０°〜７０°とするのがより好ましい。また、上部邪魔板２１及び下部邪魔板２２の傾斜角度θは、９０°以上であってもよい。
【００５２】
また、供給口１６が設けられた一端側が下方となり、排出口１７が設けられた他端側が上方となるように容器１２を上下に配置させた状態で、供給口１６が上部邪魔板２１の下方側に配置されるので、この状態で下流側から容器１２の処理空間Ｓ内へ液体処理材Ｔを補充しても、液体処理材Ｔが供給口１６から漏出するような不具合を防止することができ、液体処理材Ｔの補充を良好に行うことができる。
【００５３】
なお、上記実施形態では、供給口１６を、一端側の端面板１４に設けたが、この供給口１６は、容器１２の一端側に設けられていればよく、例えば、円筒形状の容器本体１３の一端部近傍における周面に設けてもよい。同様に、排出口１７を、他端側の端面板１５に設けたが、この排出口１７は、容器１２の他端側に設けられていればよく、例えば、円筒形状の容器本体１３の他端部近傍における周面に設けてもよい。
【００５４】
また、上記実施形態では、上部邪魔板２１と下部邪魔板２２とを容器１２の長手方向へ交互に配置させることで、容器１２の処理空間Ｓ内における水の流れを大きくかつ確実に蛇行させる構造としたが、上部邪魔板２１だけを備えたものでもよい。
【００５５】
図６は、本発明の他の実施形態に係る液体処理装置における液体の流れを説明するための液体処理装置の概略断面図である。
図６に示した液体処理装置１１は、上部邪魔板２１だけを備えている。この液体処理装置１１では、複数の上部邪魔板２１が容器１２の長手方向へ間隔をあけて配置されている。これらの上部邪魔板２１は、容器１２の長手方向に、容器本体１３の直径と略同一長さに対して複数設けることが望ましい。例えば、容器本体１３の直径が３０ｃｍである場合、１５ｃｍ〜３０ｃｍの間隔で上部邪魔板２１を設けるのが望ましい。
【００５６】
この上部邪魔板２１だけを備えた液体処理装置１１の場合も、水平方向へ延びる横長の容器１２の一端から水を供給し、容器１２内の液体処理材Ｔを通過させて容器１２の他端から排出させるので、上下方向の高さを極力抑えつつ、液体処理材Ｔに対する水の接触時間を十分に確保して水にミネラルを十分に添加することができる。
【００５７】
また、水に添加処理が行われて液体処理材Ｔの容積が少なくなり、液体処理材Ｔの上方側に隙間が形成されても、容器１２に供給される水が上部邪魔板２１を迂回して上下に蛇行して流れるので、液体処理材Ｔの上方側に形成された隙間での素通りを防ぐことができる。これにより、液体処理材Ｔの容積減少時においても、液体処理材Ｔに対する水の接触時間を十分に確保することができる。
【００５８】
つまり、上下方向の高さを抑えて設置スペースの制限を緩和することができ、しかも、水に対して不具合なく確実かつ良好にミネラルを添加する添加処理を行うことができる。
【００５９】
なお、上記実施形態では、添加処理させる液体として水を供給し、この水を寒石などの液体処理材Ｔに通してミネラルを添加する場合を例にとって説明したが、添加処理させる液体は水に限らず、また、液体処理材Ｔもミネラルを添加するものに限らない。例えば、液体処理材Ｔとして活性炭を充填し、臭気や色度、有機物を吸着除去したり、イオン交換樹脂を充填してイオンを除去することができる。
【００６０】
また、上記実施形態では、液体処理装置１１によって液体に添加物を添加させる添加処理を行う場合を例にとって説明したが、容器１２内を流れる液体に対して、容器１２内の液体処理材で反応処理を行ってもよい。
【００６１】
また、上記実施形態の液体処理装置１１は、円筒形状の容器１２を備えたものに限らず、角筒形状の容器１２を備えたものでもよい。
【００６２】
また、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００６３】
１１    液体処理装置
１２    容器
１４，１５  端面板
１６    供給口
１７    排出口
１８    液体供給管
１９    液体回収管
２１    上部邪魔板（邪魔板）
２１ａ  縁部
２２    下部邪魔板（邪魔板）
２２ａ  縁部
Ｒ１，Ｒ２  流路
Ｓ      処理空間
Ｔ      液体処理材
θ      傾斜角度
【図１】
2015029967.tif 000003
【図２】
2015029967.tif 000004
【図３】
2015029967.tif 000005
【図４】
2015029967.tif 000006
【図５】
2015029967.tif 000007
【図６】
2015029967.tif 000008
【図７】
2015029967.tif 000009
【図８】
2015029967.tif 000010